(57)【要約】【課題】  ＲＦ出力レベルの変化に応じた適切な温度及び周波数の補正値を設定し、ＲＦ出力レベルに依存することなく、検波電圧の温度特性及び周波数特性を均一とし、検波回路の監視能力を向上させることが可能な無線端末を提供する。【解決手段】  ＲＦ回路１の検波回路１１は増幅回路の最終段となるパワーアンプ１２の出力レベルを監視する。制御回路２２は検波回路１１からＡ／Ｄ回路２１を介して通知される出力レベルに応じた補正値を記憶回路２３から読出してＤ／Ａ回路２５を介してＡＧＣアンプ１３に出力し、検波回路１１で検出されるＲＦ信号の出力レベルが一定になるようにＡＧＣアンプ１３のゲインを制御する。温度検出回路２４は周囲環境温度による温度変動を監視し、制御回路２２は温度検出回路２４から通知される温度変化に応じてＡＧＣアンプ１３のゲインを制御する。【選択図】      図１
2006270276.tif 000002
【特許請求の範囲】
【請求項１】
ＡＧＣ（Ａｕｔｏ  Ｇａｉｎ  Ｃｏｎｔｒｏｌ）電圧制御にてゲインを可変することで出力レベルを可変可能な増幅回路と、前記出力レベルを検出する検波回路と、前記検波回路が検出した出力レベルを監視しかつ監視する出力レベルを一定にするように前記増幅回路のゲインを制御するＡＰＣ（Ａｕｔｏ  Ｐｏｗｅｒ  Ｃｏｎｔｒｏｌ）機能とを無線送信部に含む無線端末であって、
前記無線送信部の周囲環境温度を検出する温度検出回路と、
前記周囲環境温度と指定した周波数と指定した出力レベルとに応じて予め算出されかつ前記増幅回路のゲインの変動及び前記検波回路の検出した出力レベルの監視精度の変動による補正値を基に前記ＡＧＣ電圧制御を行う制御手段とを有することを特徴とする無線端末。
【請求項２】
予め算出された前記増幅回路のゲインの変動及び前記検波回路の検出した出力レベルの監視精度の変動による補正値を算出するための数値を保存する記憶手段を含み、
前記制御手段は、前記周囲環境温度と前記指定した周波数と前記指定した出力レベルとに応じて前記記憶手段から前記数値を読出して当該補正値を算出して前記ＡＧＣ電圧制御を行うことを特徴とする請求項１記載の無線端末。
【請求項３】
前記記憶手段は、前記増幅回路の温度による変動量を考慮した数値及び前記出力レベルに応じた温度係数と、周波数による変動量を考慮した数値及び前記出力レベルに応じた温度係数とを保存しており、
前記制御手段は、前記増幅回路の温度による変動量を考慮した数値と前記出力レベルに応じた温度係数とを掛け合わせた値と、前記周波数による変動量を考慮した数値と前記出力レベルに応じた温度係数とを掛け合わせた値とを基に前記出力レベルに対する温度の変化による補正値の演算を行うことを特徴とする請求項２記載の無線端末。
【請求項４】
前記記憶手段は、前記検波回路の温度による検出精度を考慮した数値及び前記出力レベルに応じた温度係数と、周波数による検出精度を考慮した数値及び前記出力レベルに応じた温度係数とを保存しており、
前記制御手段は、前記検波回路の温度による検出精度を考慮した数値と前記出力レベルに応じた温度係数とを掛け合わせた値と、前記周波数による検出精度を考慮した数値と前記出力レベルに応じた温度係数とを掛け合わせた値とを基に前記周波数の変化による補正値の演算を行うことを特徴とする請求項２または請求項３記載の無線端末。
【請求項５】
ＡＧＣ（Ａｕｔｏ  Ｇａｉｎ  Ｃｏｎｔｒｏｌ）電圧制御にてゲインを可変することで出力レベルを可変可能な増幅回路と、前記出力レベルを検出する検波回路と、前記検波回路が検出した出力レベルを監視しかつ監視する出力レベルを一定にするように前記増幅回路のゲインを制御するＡＰＣ（Ａｕｔｏ  Ｐｏｗｅｒ  Ｃｏｎｔｒｏｌ）機能とを無線送信部に含む無線端末に用いるＡＰＣ制御方法であって、前記無線端末が、温度検出回路で検出された前記無線送信部の周囲環境温度と指定した周波数と指定した出力レベルとに応じて予め算出されかつ前記増幅回路のゲインの変動及び前記検波回路の検出した出力レベルの監視精度の変動による補正値を基に前記ＡＧＣ電圧制御を行う処理を実行することを特徴とするＡＰＣ制御方法。
【請求項６】
予め算出された前記増幅回路のゲインの変動及び前記検波回路の検出した出力レベルの監視精度の変動による補正値を算出するための数値を記憶手段に保存しておき、
前記無線端末が、前記周囲環境温度と前記指定した周波数と前記指定した出力レベルとに応じて前記記憶手段から前記数値を読出して当該補正値を算出して前記ＡＧＣ電圧制御を行うことを特徴とする請求項５記載のＡＰＣ制御方法。
【請求項７】
前記記憶手段に、前記増幅回路の温度による変動量を考慮した数値及び前記出力レベルに応じた温度係数と、周波数による変動量を考慮した数値及び前記出力レベルに応じた温度係数とを保存し、
前記無線端末が、前記増幅回路の温度による変動量を考慮した数値と前記出力レベルに応じた温度係数とを掛け合わせた値と、前記周波数による変動量を考慮した数値と前記出力レベルに応じた温度係数とを掛け合わせた値とを基に前記出力レベルに対する温度の変化による補正値の演算を行うことを特徴とする請求項６記載のＡＰＣ制御方法。
【請求項８】
前記記憶手段に、前記検波回路の温度による検出精度を考慮した数値及び前記出力レベルに応じた温度係数と、周波数による検出精度を考慮した数値及び前記出力レベルに応じた温度係数とを保存し、
前記無線端末が、前記検波回路の温度による検出精度を考慮した数値と前記出力レベルに応じた温度係数とを掛け合わせた値と、前記周波数による検出精度を考慮した数値と前記出力レベルに応じた温度係数とを掛け合わせた値とを基に前記周波数の変化による補正値の演算を行うことを特徴とする請求項６または請求項７記載のＡＰＣ制御方法。
【発明の詳細な説明】
【技術分野】
【０００１】
本発明は無線端末及びそれに用いるＡＰＣ制御方法に関し、特に携帯無線端末におけるＲＦ（Ｒａｄｉｏ  Ｆｒｅｑｕｅｎｃｙ）出力レベルを一定に保つＡＰＣ（Ａｕｔｏ  Ｐｏｗｅｒ  Ｃｏｎｔｒｏｌ）機能に関する。
【背景技術】
【０００２】
従来、ＡＰＣ機能においては、増幅回路のＲＦ出力レベルを検出する検波回路を備えており、検波回路で検出したＲＦ出力レベルを一定に保つようにＡＧＣ（Ａｕｔｏ  Ｇａｉｎ  Ｃｏｎｔｒｏｌ）電圧を制御して一定のＲＦ出力レベルを補償している（例えば、特許文献１参照）。
【０００３】
【特許文献１】特開２００４−１７３００１号公報
【発明の開示】
【発明が解決しようとする課題】
【０００４】
しかしながら、上述した従来のＡＰＣ機能では、検波回路にて検出されるＲＦ出力レベルの監視手段となる検波電圧がＲＦ出力レベルによって、周囲の環境温度、使用する周波数帯による特性のばらつきが生じてしまい、ＲＦ出力レベルの監視能力が低下する恐れがある。
【０００５】
また、従来のＡＰＣ機能では、検波回路で検出できるＲＦ出力レベルのダイナミックレンジが狭いため、高出力から低出力まですべてのＲＦ出力レベルを検出し、ＲＦ出力レベルを一定に保つことができない。このため、従来のＡＰＣ機能では、検波回路が検出できる高出力レベルのみで使用されており、ダイナミックレンジの広い無線通信システムの低出力レベルではＡＰＣ機能が動作していないため、低出力レベルでの周囲の環境温度、使用する周波数帯による増幅回路のＧａｉｎ変動を正確に補正することができない。
【０００６】
そこで、本発明の目的は上記の問題点を解消し、ＲＦ出力レベルの変化に応じた適切な温度及び周波数の補正値を設定することができ、ＲＦ出力レベルに依存することなく、検波電圧の温度特性及び周波数特性を均一にすることができるとともに、検波回路の監視能力を向上させることができる無線端末及びそれに用いるＡＰＣ制御方法を提供することにある。
【課題を解決するための手段】
【０００７】
本発明による無線端末は、ＡＧＣ（Ａｕｔｏ  Ｇａｉｎ  Ｃｏｎｔｒｏｌ）電圧制御にてゲインを可変することで出力レベルを可変可能な増幅回路と、前記出力レベルを検出する検波回路と、前記検波回路が検出した出力レベルを監視しかつ監視する出力レベルを一定にするように前記増幅回路のゲインを制御するＡＰＣ（Ａｕｔｏ  Ｐｏｗｅｒ  Ｃｏｎｔｒｏｌ）機能とを無線送信部に含む無線端末であって、
前記無線送信部の周囲環境温度を検出する温度検出回路と、
前記周囲環境温度と指定した周波数と指定した出力レベルとに応じて予め算出されかつ前記増幅回路のゲインの変動及び前記検波回路の検出した出力レベルの監視精度の変動による補正値を基に前記ＡＧＣ電圧制御を行う制御手段とを備えている。
【０００８】
本発明によるＡＰＣ制御方法は、ＡＧＣ（Ａｕｔｏ  Ｇａｉｎ  Ｃｏｎｔｒｏｌ）電圧制御にてゲインを可変することで出力レベルを可変可能な増幅回路と、前記出力レベルを検出する検波回路と、前記検波回路が検出した出力レベルを監視しかつ監視する出力レベルを一定にするように前記増幅回路のゲインを制御するＡＰＣ（Ａｕｔｏ  Ｐｏｗｅｒ  Ｃｏｎｔｒｏｌ）機能とを無線送信部に含む無線端末に用いるＡＰＣ制御方法であって、前記無線端末が、温度検出回路で検出された前記無線送信部の周囲環境温度と指定した周波数と指定した出力レベルとに応じて予め算出されかつ前記増幅回路のゲインの変動及び前記検波回路の検出した出力レベルの監視精度の変動による補正値を基に前記ＡＧＣ電圧制御を行う処理を実行している。
【０００９】
すなわち、本発明の無線端末は、無線送信部に、ＡＧＣ（Ａｕｔｏ  Ｇａｉｎ  Ｃｏｎｔｒｏｌ）電圧制御にてゲイン（Ｇａｉｎ）を可変することで、ＲＦ（Ｒａｄｉｏ  Ｆｒｅｑｕｅｎｃｙ）出力レベルを可変可能なＡＧＣ機能を備えた増幅回路と、検波回路と、その検波回路が検出したＲＦ出力レベルを監視し、監視したＲＦ出力レベルを一定にするように増幅回路のゲインを制御するＡＰＣ（Ａｕｔｏ  Ｐｏｗｅｒ  Ｃｏｎｔｒｏｌ）機能を備えている。
【００１０】
ＡＰＣ機能は、その内部に、検波回路にて検出したＲＦ出力レベルを監視してＡＧＣ電圧を制御する制御回路と、ＡＧＣ電圧を出力するためのＤ／Ａ（ディジタル／アナログ）コンバータと、周囲環境温度を検出する温度検出回路とを備えている。
【００１１】
制御回路は、増幅回路で出力しているレベルの設定を監視する機能を有し、検波回路にて検出したＲＦ出力レベルとの比較結果を基に、そのＲＦ出力レベルと同一になるように、ＡＧＣ電圧を制御する機能を有している。
【００１２】
本発明の無線端末では、周囲環境温度、指定した周波数、指定したＲＦ出力レベルによって、増幅回路のゲインの変動だけでなく、検波回路の検出したＲＦ出力レベルの監視精度の変動に対しても、それら変動による補正値をそれぞれ予め算出して内部の記憶回路に保存し、制御回路は記憶回路に保存された補正値を基にＡＧＣ電圧を制御している。
【００１３】
この記憶回路には、増幅回路及び検波回路の検出精度のＲＦ出力レベルに応じた温度特性及び周波数特性を均一にする補正値が予め算出されて格納されており、制御回路が記憶回路からの最適な補正値を読出して設定することで、温度、周波数特性を補償したＡＰＣ機能が実現される。
【００１４】
上記のように、本発明の無線端末では、ＲＦ出力レベルに応じて、周囲の環境温度、使用する周波数帯による検波電圧特性の変動量を予め把握しておくことで、ＲＦ出力レベルの変化に応じた適切な温度及び周波数の補正値を設定することが可能となり、ＲＦ出力レベルに依存することなく、検波電圧の温度特性及び周波数特性を均一にすることが可能となり、検波回路の監視能力を向上させることが可能となる。
【００１５】
また、本発明の無線端末では、ＲＦ出力レベルのダイナミックレンジに依存することなく、周囲の環境温度、使用する周波数帯の各ＲＦ出力レベルでの増幅回路のゲイン変動を予め把握しておくことで、ＲＦ出力レベルの変化に応じて適正な温度及び周波数の補正値を設定することが可能となり、ダイナミックレンジの広い無線通信システムでＲＦ出力レベルに依存することなく、増幅回路のゲインの温度特性及び周波数特性を均一にすることが可能となる。
【発明の効果】
【００１６】
本発明は、以下に述べるような構成及び動作とすることで、ＲＦ出力レベルの変化に応じた適切な温度及び周波数の補正値を設定することができ、ＲＦ出力レベルに依存することなく、検波電圧の温度特性及び周波数特性を均一にすることができるとともに、検波回路の監視能力を向上させることができるという効果が得られる。
【発明を実施するための最良の形態】
【００１７】
次に、本発明の実施例について図面を参照して説明する。図１は本発明の一実施例による無線端末の構成を示すブロック図である。図１において、本発明の一実施例による無線端末は送信部であるＲＦ（Ｒａｄｉｏ  Ｆｒｅｑｕｅｎｃｙ）回路１と、ＡＰＣ（Ａｕｔｏ  Ｐｏｗｅｒ  Ｃｏｎｔｒｏｌ）機能２とを内部に含んで構成されている。
【００１８】
ＲＦ回路１は増幅回路であるＡＧＣ（Ａｕｔｏ  Ｇａｉｎ  Ｃｏｎｔｒｏｌ）アンプ１３と、増幅回路の最終段となるパワーアンプ１２と、パワーアンプ１２の出力から出力レベルを監視する検波回路１１とからなる。ここで、増幅回路はＡＧＣアンプ１３に対するＡＧＣ電圧制御にてゲイン（Ｇａｉｎ）を可変することで、ＲＦ出力レベルが可変可能となっている。
【００１９】
ＡＰＣ機能２は検波回路１１が検出したＲＦ出力レベルをディジタル信号に変換するＡ／Ｄ（アナログ／ディジタル）回路２１と、検波回路１１が検出したＲＦ出力レベルを監視し、ＲＦ出力レベルを一定にするように増幅回路のゲインを制御する制御回路［例えば、ＣＰＵ（中央処理装置）等］２２と、検波回路１１にて検出した検波電圧に応じた補正値を保存する記憶回路２３と、周囲環境温度による温度変動を監視する温度検出回路２４と、制御回路２２からのＡＧＣ電圧への補正値の設定をアナログ信号に変換してＡＧＣアンプ１３に出力するＤ／Ａ（ディジタル／アナログ）回路２５とからなる。尚、記憶回路２３には制御回路２２で実行されるプログラムも格納されている。
【００２０】
本実施例では、増幅回路の最終段となるパワーアンプ１２の出力レベルを監視する検波回路１１からＡ／Ｄ回路２１を介して制御回路２２に出力レベルを通知し、制御回路２２が検出した出力レベルに応じた補正値を記憶回路２３から読出してＤ／Ａ回路２５を介してＡＧＣアンプ１３に出力することで、検波回路１１で検出されるＲＦ信号の出力レベルが一定になるようにＡＧＣアンプ１３のゲインを制御する。
【００２１】
また、本実施例では、周囲環境温度による温度変動を監視するために温度検出回路２４を備えており、制御回路２２は温度検出回路２４から通知される温度変化に応じてＡＧＣアンプ１３のゲインを制御する。
【００２２】
図２は図１の検波回路１１の一構成例を示す図である。図２において、検波回路１１は、従来技術と同様に、パワーアンプ１２の出力をコンデンサＣ１（１１１）にてＲＦ信号（高周波成分）を結合させて、ダイオードＤｉ１（１１２），Ｄｉ２（１１３）とコンデンサＣ２（１１４）とを用いて、コンデンサＣ１（１１１）で検出したＲＦ信号の結合量を電圧（直流成分）に変換し、変換した電圧を検波電圧としてＡＰＣ機能２に出力する。
【００２３】
この検波回路１１は変換した電圧を検波電圧としてＡ／Ｄ回路２１に出力するので、制御回路２２はＡ／Ｄ回路２１を介して得られた検波電圧とＡＧＣアンプ１３の出力レベルとの相関をとって記憶回路２３に格納することによって、検波回路１１にて検出した検波電圧に応じてＡＧＣアンプ１３の出力レベルを可変することができる。この検波電圧が周囲の環境温度及び指定される周波数から特性の変化があった場合には、検出精度も変化することになる。
【００２４】
検波回路１１にて検出した検波電圧に応じて掛ける補正値は、それぞれ記憶回路２３から読出した、予め増幅回路の温度による変動量を考慮した数値（Ｔａｇｃ）及びＡＧＣアンプ１３の出力レベルに応じた温度係数（Ｋ１ａｇｃ）と、周波数による変動量を考慮した数値（Ｆａｇｃ）及びＡＧＣアンプ１３の出力レベルに応じた温度係数（Ｋ２ａｇｃ）とに基づいて算出される。
【００２５】
この場合、上記の補正値Ａは、
Ａ＝Ｔａｇｃ・Ｋ１ａｇｃ＋Ｆａｇｃ・Ｋ２ａｇｃ      ・・・（１）
という式から算出し、それをＡＧＣ電圧に加算することで、増幅回路の周囲の環境温度及び指定した周波数のばらつきを軽減することができる。
【００２６】
また、検波回路１１の補正値は、上記と同様に、それぞれ記憶回路２３から読出した、検波回路１１の温度による検出精度を考慮した数値（Ｔａｐｃ）及びＡＧＣアンプ１３の出力レベルに応じた温度係数（Ｋ１ａｐｃ）と、周波数による検出精度を考慮した数値（Ｆａｐｃ）及びＡＧＣアンプ１３の出力レベルに応じた温度係数（Ｋ２ａｐｃ）とに基づいて算出される。
【００２７】
この場合、上記の補正値Ｂは、
Ｂ＝Ｔａｐｃ・Ｋ１ａｐｃ＋Ｆａｐｃ・Ｋ２ａｐｃ      ・・・（２）
という式から算出し、それをＡＧＣ電圧に加算することで、検波回路１１の周囲の環境温度及び指定した周波数の検出精度を向上させることができる。
【００２８】
図３は本発明の一実施例における温度による増幅回路の入出力レベルの関係を示す図であり、図４は本発明の一実施例における周波数による増幅回路の入出力レベルの関係を示す図であり、図５は本発明の一実施例における検波回路１１での検出される検波電圧特性の一例を示す図であり、図６は本発明の一実施例における温度による検波回路１１の検波電圧の関係を示す図であり、図７は本発明の一実施例における周波数による検波回路１１の検波電圧の関係を示す図である。
【００２９】
図３に示すように、増幅回路の特徴として、増幅回路の飽和領域と非飽和領域とでは温度によるゲイン（＝出力レベル−入力レベル）の変化量が異なり、非飽和領域では温度によるゲインの変化量が比較的一律に変化するが、飽和領域では温度によるゲインの変化量が出力レベルで異なる。多段にわたる増幅回路を内蔵する場合には、各段の増幅回路の飽和領域が各々異なるので、最終段での出力レベルが温度と増幅回路への入力レベルとによって温度によるゲインの変化量が様々な数値となる。
【００３０】
このため、本実施例では、温度によるゲインの変化量を考慮した数値を細かく設定する必要があり、増幅回路の入力にあたるＡＧＣアンプ１３の出力レベルに応じた温度係数（Ｋ１ａｇｃ）を予め記憶回路２３に格納することで、指定した出力レベルに応じた温度係数（Ｋ１ａｇｃ）と温度に応じた補正値（Ｔａｇｃ）との掛け算にて、各出力レベルの温度によるゲインの変化量としての補正値（Ｔａｇｃ・Ｋ１ａｇｃ）を設定することが可能となり、より正確な温度特性の補償制御が可能となる。
【００３１】
同様に、図４に示すように、増幅回路の特徴として、飽和領域で動作をしている比較的出力レベルの高いレベル（Ｐ１）と、非飽和領域で動作をしている比較的出力レベルの低いレベル（Ｐ２）との周波数特性が異なり、出力レベルに応じて周波数特性を一定に保つための補正値を各々設定する必要がある。
【００３２】
そのため、本実施例では、増幅回路の入力にあたるＡＧＣアンプ１３の出力レベルに応じた周波数係数（Ｋ２ａｇｃ）を予め記憶回路２３に格納することで、指定した出力レベルに応じた周波数係数（Ｋ２ａｇｃ）と周波数に応じた補正値（Ｆａｇｃ）との掛け算にて、各出力レベルの周波数の変化による出力レベルの補正値（Ｆａｇｃ・Ｋ２ａｇｃ）を設定することが可能となり、より正確な周波数特性の補償制御が可能となる。
【００３３】
検波回路１１で検出した検波電圧の特性は、図５に示すように、検出する出力レベルが高くなるにつれて検波電圧が高くなるという特徴を有し、図６及び図７に示すように、周囲環境温度及び指定する周波数によって検波電圧毎に変動する量が異なるため、検波回路１１で監視する精度が劣化する恐れがある。
【００３４】
このため、本実施例では、検波電圧に変換される出力レベルを決定するＡＧＣアンプ１３の出力レベルに応じた温度係数（Ｋ１ａｐｃ）と周波数係数（Ｋ２ａｐｃ）とを予め記憶回路２３に格納することで、指定した出力レベルに応じた温度係数（Ｋ１ａｐｃ）と温度に応じた補正値（Ｔａｐｃ）との掛け算にて、各出力レベルの温度による検波電圧の変化量としての補正値（Ｔａｐｃ・Ｋ１ａｐｃ）を設定することが可能となる。
【００３５】
同様に、本実施例では、指定した出力レベルに応じた周波数係数（Ｋ２ａｐｃ）と周波数に応じた補正値（Ｆａｐｃ）との掛け算にて、各出力レベルの周波数の変化による検波電圧の変化量としての補正値（Ｆａｇｃ・Ｋ２ａｇｃ）を設定することが可能となり、より正確な温度特性及び周波数特性の補償が可能となって検波回路１１の監視精度が向上する。
【００３６】
図８は図１の制御回路２２による温度及び周波数補償制御の動作を示すフローチャートである。これら図１〜図８を参照して本発明の一実施例による温度及び周波数補償制御の動作について説明する。尚、図８に示す処理は制御回路２２が記憶回路２３のプログラムを実行することで実現される。
【００３７】
制御回路２２はＡ／Ｄ回路２１を通して検波回路１１から検波電圧が通知されると（図８ステップＳ１）、増幅回路の温度による変動量を考慮した数値（Ｔａｇｃ）とＡＧＣアンプ１３の出力レベルに応じた温度係数（Ｋ１ａｇｃ）とを記憶回路２３から読出す（図８ステップＳ２）。
【００３８】
また、制御回路２２は周波数による変動量を考慮した数値（Ｆａｇｃ）とＡＧＣアンプ１３の出力レベルに応じた温度係数（Ｋ２ａｇｃ）とを記憶回路２３から読出し（図８ステップＳ３）、増幅回路の補正値Ａを（１）式から算出する（図８ステップＳ４）。
【００３９】
同様に、制御回路２２は検波回路１１の温度による検出精度を考慮した数値（Ｔａｐｃ）とＡＧＣアンプ１３の出力レベルに応じた温度係数（Ｋ１ａｐｃ）とを記憶回路２３から読出し（図８ステップＳ５）、周波数による検出精度を考慮した数値（Ｆａｐｃ）とＡＧＣアンプ１３の出力レベルに応じた温度係数（Ｋ２ａｐｃ）とを記憶回路２３から読出し（図８ステップＳ６）、検波回路１１の補正値Ｂを（２）式から算出する（図８ステップＳ７）。
【００４０】
制御回路２２は上記の算出した補正値Ａ，ＢからＡＧＣアンプ１３のＡＧＣ電圧に、補正する補正値（Ａ＋Ｂ）を設定する（図８ステップＳ８）。制御回路２２は上述した処理を設定終了まで繰り返し行う（図８ステップＳ１〜Ｓ９）。
【００４１】
すなわち、無線端末の電源が投入された後、温度検出回路２４にて温度が検出し、検出された温度が更新されるたびに割り込み処理にて制御回路２２が温度情報を更新しておき、同様に、周波数を指定されるたびに割り込み処理にて制御回路２２が周波数情報を更新しておく。
【００４２】
制御回路２２は送信出力レベルの設定制御を行う際に、設定する出力レベルに応じた温度係数（Ｋ１ａｇｃ及びＫ１ａｐｃ）及び温度に応じた補正値（Ｔａｇｃ及びＴａｐｃ）と、周波数係数（Ｋ２ａｇｃ及びＫ２ａｐｃ）及び周波数に応じた補正値（Ｆａｇｃ及びＦａｐｃ）とを記憶回路２３から読出し、ＡＧＣアンプ１３の出力レベルを設定する。
【００４３】
また、制御回路２２は温度情報及び周波数情報が更新されるたびに割り込み処理にて、ＡＧＣアンプ１３の出力レベルに対する温度の変化による補正値（Ｔａｇｃ・Ｋ１ａｇｃ及びＴａｐｃ・Ｋ１ａｐｃ）の演算と、周波数の変化による補正値（Ｆａｇｃ・Ｋ２ａｇｃ及びＦａｐｃ・Ｋ２ａｐｃ）の演算とを実施し、増幅回路の補正値として（１）式から算出した補正値Ａを設定し、検波回路１１の補正値として（２）式から算出した補正値Ｂを設定する。
【００４４】
検波回路１１による補正値Ｂが動作しない出力レベルの低い範囲では、増幅回路の補正値Ａの設定が反映したゲイン制御をＡＧＣアンプ１３に実施し、増幅回路の出力レベルに応じたゲインの最適値を設定することができ、周囲環境温度及び指定した周波数によらない一定の出力レベルを補償することができる。
【００４５】
このように、本実施例では、増幅回路の飽和領域付近と非飽和領域の温度・周波数によるゲイン変動を増幅回路のＲＦ出力レベルに応じて補正することで、最適な補正値を考慮してＡＧＣ電圧を制御することができるので、温度特性及び周波数特性を均一にすることができる。
【００４６】
増幅回路は飽和領域付近と非飽和領域とで、温度・周波数によるゲインの変化量が異なるため、固定のＲＦ出力レベルでの温度・周波数によるゲインの変化量の補正だけでは最適な補正値を反映することができない。本実施例では、ＲＦ出力レベルを段階的に分けて、それぞれのＲＦ出力レベルに応じた温度・周波数のゲインの変化量に対して、ＲＦ出力レベル毎に可変するゲインの変化量を掛け合わせることによって、ＲＦ出力レベルに応じた最適な温度・周波数の補正値を算出しているため、温度特性及び周波数特性を均一にすることができる。
【００４７】
尚、増幅回路が多段で構成されている場合には、各増幅段の飽和領域と非飽和領域とが複合されるので、各ＲＦ出力レベルでの温度によるゲインの変化量が複雑になるため、上記の効果が顕著に現れる。
【００４８】
また、本実施例では、ＲＦ出力レベルに応じて補正を行うことによって、監視精度に対して最適な補正値を与えることが可能となり、監視精度を向上させることができる。
【００４９】
検波回路１１て検出されるＲＦ出力レベルの監視手段の検波電圧は、ＲＦ出力レベルによって温度特性・周波数特性が異なるため、固定のＲＦ出力レベルでの温度・周波数による補正値だけでは最適な補正値を反映することができない。本実施例では、ＲＦ出力レベルを段階的に分けて、それぞれのＲＦ出力レベルに応じた温度・周波数の補正値に対して、ＲＦ出力レベル毎に可変する検波電圧の変化量を掛け合わせることによって、ＲＦ出力レベルに応じた最適な温度・周波数の補正値を算出することができる。
【図面の簡単な説明】
【００５０】
【図１】本発明の一実施例による無線端末の構成を示すブロック図である。
【図２】図１の検波回路の一構成例を示す図である。
【図３】本発明の一実施例における温度による増幅回路の入出力レベルの関係を示す図である。
【図４】本発明の一実施例における周波数による増幅回路の入出力レベルの関係を示す図である。
【図５】本発明の一実施例における検波回路での検出される検波電圧特性の一例を示す図である。
【図６】本発明の一実施例における温度による検波回路の検波電圧の関係を示す図である。
【図７】本発明の一実施例における周波数による検波回路の検波電圧の関係を示す図である。
【図８】図１の制御回路による温度及び周波数補償制御の動作を示すフローチャートである。
【符号の説明】
【００５１】
１  ＲＦ回路
２  ＡＰＣ機能
１１  検波回路
１２  パワーアンプ
１３  ＡＧＣアンプ
２１  Ａ／Ｄ回路
２２  制御回路
２３  記憶回路
２４  温度検出回路
２５  Ｄ／Ａ回路
【図１】
2006270276.tif 000003
【図２】
2006270276.tif 000004
【図３】
2006270276.tif 000005
【図４】
2006270276.tif 000006
【図５】
2006270276.tif 000007
【図６】
2006270276.tif 000008
【図７】
2006270276.tif 000009
【図８】
2006270276.tif 000010